(57)【要約】【課題】撮像装置の姿勢に拘わらず、確実に有害光を遮光することができゴーストやフレアを効果的に防止する上で有利なレンズ鏡筒および撮像装置を提供する。【解決手段】遮光部５２は遮光板５４と案内機構５６とを含んで構成されている。案内機構５６は、光路Ｍの光軸Ｌと直交する面上で遮光板５４を移動可能に支持するものである。遮光板５４に結合部６２が設けられている。結合部６２は、案内溝５８に該案内溝５８の延在方向に移動可能に結合されるものであり、案内溝５８と結合部６２とにより案内機構５６が構成されている。遮光板５４は、光路Ｍ内に位置して光束を遮光するものである。遮光部５２は、遮光板５４に作用する重力の作用により遮光板５４が光路Ｍ内の鉛直方向の下側で直線部５４Ｂが水平方向に延在した姿勢で位置するように設けられている。【選択図】図７
2009116085.tif 000002
【特許請求の範囲】
【請求項１】
撮影光学系が収容された鏡筒と、
前記鏡筒の内部に設けられ前記撮影光学系の光路内の径方向外側部分を通過する光束を遮光する遮光部を備えたレンズ鏡筒であって、
前記遮光部は、前記光路内に位置して光束を遮光する遮光板と、前記光路の光軸と直交する面上で前記遮光板を移動可能に支持する案内機構とで構成され、
前記遮光部は、前記遮光板に作用する重力の作用により前記遮光板が前記光路内で鉛直方向の両側のうちの一方または双方の箇所に位置するように設けられている、
ことを特徴とするレンズ鏡筒。
【請求項２】
前記案内機構は、前記鏡筒側に設けられ前記光路の外周に沿って延在する案内溝を有し、
前記遮光板に、前記案内溝に該案内溝の延在方向に移動可能に結合された結合部が設けられている、
ことを特徴とする請求項１記載のレンズ鏡筒。
【請求項３】
前記遮光板に、前記遮光板が前記光路内で鉛直方向の両側のうちの一方に位置するように前記遮光板を付勢する重りが取着されている、
ことを特徴とする請求項２記載のレンズ鏡筒。
【請求項４】
前記案内溝は、前記光路の外周全周にわたり円環状に延在している、
ことを特徴とする請求項２記載のレンズ鏡筒。
【請求項５】
前記結合部と前記遮光板とは一体形成されている、
ことを特徴とする請求項２記載のレンズ鏡筒。
【請求項６】
前記案内機構は、前記鏡筒側に設けられ前記光路の外周に沿って延在する案内溝を有し、
前記遮光板は２つ設けられ、
前記光路の外周に沿って延在する移動板が設けられ、
前記移動板に前記案内溝に該案内溝の延在方向に移動可能に結合される結合部が設けられ、
前記２つの遮光板は、前記光路内で径方向の両側に位置するように前記移動板に取着されている、
ことを特徴とする請求項１記載のレンズ鏡筒。
【請求項７】
前記移動板または遮光板に、前記２つの遮光板が前記光路内で鉛直方向の両側に位置するように前記移動板または前記遮光板を付勢する重りが取着されている、
ことを特徴とする請求項６記載のレンズ鏡筒。
【請求項８】
前記遮光板は前記移動板に一体形成されている、
ことを特徴とする請求項６記載のレンズ鏡筒。
【請求項９】
前記移動板は、前記光路の外周全周にわたり円環状に延在している、
ことを特徴とする請求項６記載のレンズ鏡筒。
【請求項１０】
前記案内溝は、前記光路の外周全周にわたり円環状に延在している、
ことを特徴とする請求項６記載のレンズ鏡筒。
【請求項１１】
前記案内機構は、互いに対向する透明板の間に仕切られ前記光路の光軸と直交する面上を延在する密閉空間で構成され、
前記遮光板は、前記密閉空間の体積よりも小さい体積で前記密閉空間に収容され遮光性を有する液体で構成されている、
ことを特徴とする請求項１記載のレンズ鏡筒。
【請求項１２】
前記密閉空間は、前記光路の全域にわたって延在している、
ことを特徴とする請求項１１記載のレンズ鏡筒。
【請求項１３】
レンズ鏡筒を有する撮像装置であって、
前記レンズ鏡筒は、
撮影光学系が収容された鏡筒と、
前記鏡筒の内部に設けられ前記撮影光学系の光路内の径方向外側部分を通過する光束を遮光する遮光部を備え、
前記遮光部は、前記光路内に位置して光束を遮光する遮光板と、前記光路の光軸と直交する面上で前記遮光板を移動可能に支持する案内機構とで構成され、
前記遮光部は、前記遮光板に作用する重力の作用により前記遮光板が前記光路内で鉛直方向の両側のうちの一方または双方の箇所に位置するように設けられている、
ことを特徴とする撮像装置。
【発明の詳細な説明】
【技術分野】
【０００１】
本発明はレンズ鏡筒および撮像装置に関する。
【背景技術】
【０００２】
近年、デジタルスチルカメラ、デジタルビデオカメラ等の撮像装置の小型化を図るためにレンズ鏡筒の小型化が図られている。
このような事情からレンズ鏡筒を構成する鏡筒の内壁やガイド軸やアクチュエータ等のレンズ鏡筒構成部材が撮影光学系の光軸に近接して配置されており、鏡筒の内壁や構成部材と撮影光学系を通過する光束との間に十分な空間を確保することが難しくなっている。
そのため、撮影光学系の光路の径方向外側部分を通過する光束の一部が、鏡筒の内壁や前記構成部材によって反射されることにより有害光として撮像素子（イメージャ）に到達する場合があり、これがゴーストあるいはフレアの原因となっている。
そこで、図１５に示すように、撮影光学系を構成するレンズ２を保持するレンズ枠４の開口４Ａに該開口４Ａの半径方向内側に突出する遮光部６を設け、この遮光部６によって有害光を遮光することが提案されている（特許文献１参照）。
遮光部１４は、撮影光学系の光軸Ｌを水平に向け、かつ、撮影画面が横長となるように撮像装置を構えた状態で鉛直方向の下側あるいは上側に設けられていることが多い。
遮光部１４を鉛直方向の下側あるいは上側に設ける理由は、撮影時において、太陽や照明などの強い光を発する光源が撮像装置の斜め上方に位置しているケースが多く、したがって、光源から鏡筒内部の下側に向かって進行する光束が有害光の原因となるため、その光束を遮光する必要があるからである。
【特許文献１】特開２００４−１７０８５７
【発明の開示】
【発明が解決しようとする課題】
【０００３】
しかしながら、例えば、静止画を撮影する場合などで画面を縦長にした縦位置となるように撮像装置を構えると、遮光部１４の位置も光軸回りに９０度回転してしまうため、斜め上方から鏡筒内部の下側に入る光束を遮光部１４で遮光することができなくなる不都合が生じる。
本発明はこのような事情に鑑みなされたものであり、その目的は、撮像装置の姿勢に拘わらず、確実に有害光を遮光することができゴーストやフレアを効果的に防止する上で有利なレンズ鏡筒および撮像装置を提供することにある。
【課題を解決するための手段】
【０００４】
上述の目的を達成するため、本発明は、撮影光学系が収容された鏡筒と、前記鏡筒の内部に設けられ前記撮影光学系の光路内の径方向外側部分を通過する光束を遮光する遮光部を備えたレンズ鏡筒であって、前記遮光部は、前記光路内に位置して光束を遮光する遮光板と、前記光路の光軸と直交する面上で前記遮光板を移動可能に支持する案内機構とで構成され、前記遮光部は、前記遮光板に作用する重力の作用により前記遮光板が前記光路内で鉛直方向の両側のうちの一方または双方の箇所に位置するように設けられていることを特徴とする。
また本発明は、レンズ鏡筒を有する撮像装置であって、前記レンズ鏡筒は、撮影光学系が収容された鏡筒と、前記鏡筒の内部に設けられ前記撮影光学系の光路内の径方向外側部分を通過する光束を遮光する遮光部を備え、前記遮光部は、前記光路内に位置して光束を遮光する遮光板と、前記光路の光軸と直交する面上で前記遮光板を移動可能に支持する案内機構とで構成され、前記遮光部は、前記遮光板に作用する重力の作用により前記遮光板が前記光路内で鉛直方向の両側のうちの一方または双方の箇所に位置するように設けられていることを特徴とする。
【発明の効果】
【０００５】
本発明によれば、レンズ鏡筒が組み込まれた撮像装置を横位置から縦位置に、あるいは、その逆に、横位置から縦位置に、光軸回りに回転させても、重力により遮光板が光路内の鉛直方向の両側のうちの一方または双方に位置する。
したがって、撮像装置の縦位置、横位置に拘わらず、斜め上方から鏡筒の内部の下側に入る光束を遮光板によって遮光することができ、ゴーストやフレアを効果的に防止する上で有利となる。
【発明を実施するための最良の形態】
【０００６】
（第１の実施の形態）
次に本発明の実施の形態について図面を参照して説明する。
図１は本実施の形態の撮像装置の斜視図、図２は本実施の形態の撮像装置の構成を示すブロック図である。
図１に示すように、本実施例の撮像装置１０はデジタルスチルカメラであり、外装を構成するケース１２を有している。なお、本明細書においては被写体側を前方としその反対側を後方とする。
ケース１２の前面右側部寄りの箇所には撮影光学系１４が組み込まれたレンズ鏡筒１６が設けられ、レンズ鏡筒１６の後端には撮影光学系１４によって導かれた被写体像を撮像する撮像素子３０（図２）が設けられている。
ケース１２の前面上部寄りの箇所には閃光を発光するフラッシュ部１８、光学式ファインダの対物レンズ２０などが設けられている。なお、本明細書において前方とは被写体側をいい、後方とは結像側をいうものとする。
ケース１２の上端面にはシャッタボタン２２が設けられ、ケース１２の後面には、前記光学式ファインダの接眼窓２４、電源のオンオフ、撮影モード、再生モードの切替など種々の操作を行なうための複数の操作スイッチ２６、撮像した映像を表示するディスプレイ２８（図２）などが設けられている。
【０００７】
図２に示すように、撮像装置１０は、撮像素子３０、記憶媒体３２、画像処理部３４、表示処理部３６、制御部３８などを備えている。
撮像素子３０は撮像面３０Ａ（図３）を有し、撮影光学系１４によって撮像面３０Ａに結像された被写体像を撮像して撮像信号を生成するＣＣＤやＣＭＯＳセンサなどで構成されている。
画像処理部３４は、撮像素子３０から出力された撮像信号に基づいて画像データを生成し、記憶媒体３２に記録するものである。
記憶媒体３２は、筐体１２に設けられたメモリスロットに装脱されるメモリカード、あるいは、筐体１２に内蔵されたメモリなどで構成されている。
表示処理部３６は、画像処理部３４から供給される前記画像データをディスプレイ２８に表示させるものである。
制御部４０は、操作スイッチ２６やシャッタボタン２２の操作に応じて画像処理部３４、表示処理部３６、駆動部３８を制御するＣＰＵなどで構成されている。
【０００８】
次に、レンズ鏡筒１６の概略構成について説明する。
図３はレンズ鏡筒１６の概略構成を示す説明図である。
レンズ鏡筒１６は、撮影光学系１４が収容された鏡筒１７と、遮光部５２とを備えている。
本実施の形態では、撮影光学系１４は、１群レンズ４０と、２群レンズ４２と、３群レンズ４４と、４群レンズ４６とを含んで構成されている。
鏡筒１７は、第１筒部４８と、第２筒部５０とを有している。
第１筒部４８は、断面が円形に形成され、第１筒部４８は中央開口４８Ｃを有する後壁４８Ａと、後壁４８Ａの外周から前方に起立された周壁４８Ｂとを備えている。
中央開口４８Ｃには、撮像面３０Ａを前方に臨ませて撮像素子３０が設けられている。
撮像面３０Ａの前方には、例えば赤外線カットフィルターなどの従来公知の光学フィルタ３８が配設されている。
第１筒部４８には、２群レンズ４２、３群レンズ４４、４群レンズ４６が収容されている。
２群レンズ４２は、レンズ枠４２Ａに組み込まれて周壁４８Ｂの前部寄りの箇所に配置されている。２群レンズ４２は、不図示のレンズ移動機構によって撮影光学系１４の光軸Ｌ方向に移動されることで、撮影光学系１４の倍率調整を行うズームレンズを構成する。
３群レンズ４４は、第１筒部４８の内壁に設けられた壁部４４Ａに取り付けられて２群レンズ４２の後方に配置されている。
４群レンズ４６は、レンズ枠４６Ａに組み込まれて３群レンズ４４の後方に配置されている。４群レンズ４６は、不図示のレンズ移動機構によって光軸Ｌ方向に移動されることで、撮影光学系１４によって撮像素子３０の撮像面３０Ａ上に結像される被写体像のピント調整を行うフォーカスレンズを構成する。
【０００９】
第２筒部５０は周壁４８Ｂの前端に取着され、第２筒部５０には１群レンズ４０が収容され、したがって、１群レンズ４０は２群レンズ４２の前方に配置されている。
詳細に説明すると、第２筒部５０は、フランジ部５０Ａと周壁５０Ｂとを備えている。
フランジ部５０Ａは、光軸Ｌと直交する平面上を延在する環板状を呈し、フランジ部５０Ａが第１筒部４８の前端に取着されている。
周壁５０Ｂは、フランジ部５０Ａの前面および後面から突出され光軸Ｌと同軸の円筒壁状を呈し、周壁５０Ｂの内周に１群レンズ４０が組み込まれている。
本実施の形態では、周壁５０Ｂの後端に本発明に係る遮光部５２が設けられている。
【００１０】
次に、遮光部５２の構成について説明する。
図４は遮光部５２の分解斜視図、図５は遮光部５２の組み立て図、図６は遮光部５２の断面図、図７は遮光部５２の要部の拡大断面図である。
遮光部５２は、鏡筒１７の内部に設けられ撮影光学系１４の光路Ｍ（図３）内の径方向外側部分を通過する光束を遮光するものである。
遮光部５２は、図６、図７に示すように、遮光板５４と案内機構５６とを含んで構成されている。
【００１１】
案内機構５６は、光路Ｍの光軸Ｌと直交する面上で遮光板５４を移動可能に支持するものである。
案内機構５６は、鏡筒１７側に設けられ光路Ｍの外周に沿って延在する案内溝５８を含んで構成されている。
本実施の形態では、図４、図７に示すように、案内溝５８は、第２筒部５０の周壁５０Ｂの後端面に光路Ｍの外周全周にわたり円環状に延在形成された凹部５００２と、周壁５０Ｂの後部に取着される環板部材６０に円環状に延在形成された凹部６００２とにより形成されている。
環板部材６０の周壁５０Ｂへの取着は、図４、図５、図７に示すように、環板部材６０に設けられた複数の爪部６０１０を周壁５０Ｂに形成された係止溝５０１０に係止することでなされている。
【００１２】
遮光板５４に結合部６２が設けられており、本実施の形態では、遮光板５４と結合部６２により遮光部材６４が構成されている。
結合部６２は、案内溝５８に該案内溝５８の延在方向に移動可能に結合されるものであり、球状を呈し、本実施の形態では、案内溝５８と結合部６２とにより案内機構５６が構成されている。
遮光板５４は、光路Ｍ内に位置して光束を遮光するものであり、本実施の形態では、図４に示すように、円弧部５４Ａと直線部５４Ｂとからなる三日月状を呈している。
本実施の形態では、結合部６２と遮光板５４とは遮光性を有する材料から一体形成されている。
そして、遮光部５２は、遮光板５４に作用する重力の作用により遮光板５４が光路Ｍ内の鉛直方向の下側で直線部５４Ｂが水平方向に延在した姿勢で位置するように設けられている。
なお、本実施の形態では、結合部６２を単一としているため、光路Ｍ内における遮光板５４の姿勢を一定に保つように、遮光板５４の円弧部５４Ａを摺動可能に案内溝５８の底面に接触させるようにしている。
【００１３】
次に遮光部５２の作用効果について説明する。
図８（Ａ）は撮像装置１０の横位置における遮光部５２の正面図、（Ｂ）は撮像装置１０を光軸Ｌ回りに回転させる過程における遮光部５２の正面図、（Ｃ）は撮像装置１０の縦位置における遮光部５２の正面図である。
図８（Ａ）、（Ｂ）、（Ｃ）に示すように、撮像装置１０を横位置から縦位置に、あるいは、その逆に、撮像装置１０を横位置から縦位置に、光軸Ｌ回りに回転させても、遮光部５２は、遮光板５４に作用する重力の作用により遮光板５４が光路Ｍ内の鉛直方向の下側で直線部５４Ｂが水平方向に延在した姿勢を常に保持する。
したがって、撮像装置１０の縦位置、横位置に拘わらず、遮光板５４が光路Ｍ内の鉛直方向の下側に位置するため、斜め上方から鏡筒１７の内部の下側に入る光束を遮光板５４によって遮光することができ、ゴーストやフレアを効果的に防止する上で有利となる。
なお、実施の形態では、遮光板５４を案内する案内機構５６として案内溝５８を用いた場合について説明したが、案内機構５６は、遮光板５４を光路Ｍの光軸Ｌと直交する面上で遮光板５４を移動可能に支持できればよいのであり、案内機構５６として転がり軸受けを用いるものなど、従来公知のさまざまな案内機構が採用可能であるが、実施の形態のように構成すると、構造の簡易化、コストダウンを図る上で有利となる。
【００１４】
次に、遮光部材６４の変形例について説明する。
図９（Ａ）は結合部６２の形状を円柱状としたものである。
このような構成によれば、第１の実施の形態と同様の効果が奏される。
図９（Ｂ）は結合部６２の形状を円柱状とし、この結合部６２を案内溝５８の延在方向に間隔をおいて複数設けたものである。
このような構成によれば、第１の実施の形態と同様の効果が奏されることは無論のこと、結合部６２と案内溝５８とのガタツキをなくし、案内溝５８による遮光板５４の案内をより円滑に行う上で有利となり、また、遮光板５４の円弧部５４Ａを案内溝５８の底面に接触させる必要はなくなる。
図９（Ｃ）は結合部６２の形状を円柱状とし、この結合部６２を案内溝５８の延在方向に間隔をおいて複数設け、更に、遮光板５４に、遮光板５４が光路Ｍ内の鉛直方向の下側で直線部５４Ｂが水平方向に延在した姿勢で位置するように遮光板５４を付勢する重り６６を取着したものである。
このような構成によれば、第１の実施の形態と同様の効果が奏されることは無論のこと、遮光板５４に重り６６による付勢力が作用することから、遮光板５４の位置、姿勢の安定化を図る上でより有利となる。
【００１５】
（第２の実施の形態）
次に第２の実施の形態について説明する。
第２の実施の形態は、遮光部材７４の構成が第１の実施の形態と異なっている。
図１０は遮光部材７４の斜視図、図１１（Ａ）、（Ｂ）は遮光部７２の要部を示す断面図である。
遮光部７２は、遮光部材７４と案内機構７６とを含んで構成されている。
【００１６】
案内機構７６は、図１１（Ａ）、（Ｂ）に示すように、鏡筒１７側に設けられ光路Ｍの外周に沿って延在する案内溝７７を有し、本実施の形態では、案内溝７７は光路Ｍの外周全周にわたり円環状に延在している。
なお、案内溝７７は、第１の実施の形態と同様に、例えば、第２筒部５０の周壁５０Ｂの後端面と、周壁５０Ｂの後部に取着される環板部材６０との間に形成するなど任意である。
【００１７】
図１０に示すように、第２の実施の形態では、光路Ｍの外周全周にわたり円環状に延在する移動板７８が設けられ、この移動板７８に結合部８０と遮光板８２が設けられ、移動板７８と結合部８０と遮光板８２は一体形成され遮光部材７４を構成している。
結合部８０は、移動板７８に設けられ案内溝７７（図１１）に該案内溝７７の延在方向に移動可能に結合されるものである。
本実施の形態では、図１１（Ａ）に示すように、移動板７８の外周部が結合部８０となっている。なお、第１の実施の形態と同様に、結合部８０を球状に形成した場合には、図１１（Ｂ）に示すように、案内溝７７の構造もこれに対応して球状部分を有する形状となる。
遮光板８２は光路Ｍ内に位置し、図１０に示すように、移動板７８に続く円弧状の部分と直線部８２Ｂとを有し、三日月状を呈している。
そして、遮光部７２は、遮光板８２に作用する重力の作用により遮光板８２が光路Ｍ内の鉛直方向の下側で直線部８２Ｂが水平方向に延在した姿勢で位置するように設けられている。
なお、本実施の形態では、案内溝７７と移動板７８と結合部８０とにより遮光板８２を移動可能に支持する案内機構７６が構成されている。
【００１８】
次に遮光部７２の作用効果について説明する。
撮像装置１０を横位置から縦位置に、あるいは、その逆に、撮像装置１０を横位置から縦位置に、光軸Ｌ回りに回転させても、遮光部７２は、遮光板８２に作用する重力の作用により遮光板８２が光路Ｍ内の鉛直方向の下側で直線部８２Ｂが水平方向に延在した姿勢を常に保持する。
したがって、撮像装置１０の縦位置、横位置に拘わらず、遮光板８２が光路Ｍ内の鉛直方向の下側に位置するため、斜め上方から鏡筒１７の内部の下側に入る光束を遮光板８２によって遮光することができ、ゴーストやフレアを効果的に防止する上で有利となる。
【００１９】
次に遮光部材７４の変形例について説明する。
図１２（Ａ）は、遮光板８２が光路Ｍ内の鉛直方向の上側で直線部８２Ｂが水平方向に延在した姿勢で位置するように付勢する重り８４を遮光部材７４（移動板７８）に取着したものである。
このような構成によれば、撮像装置１０の縦位置、横位置に拘わらず、遮光板８２が光路Ｍ内の鉛直方向の上側に位置するため、斜め上方から鏡筒１７の内部の下側に入る光束を遮光板８２によって遮光することができ、ゴーストやフレアを効果的に防止する上で有利となる。
図１２（Ｂ）は、遮光板８２を移動板７８の互いに対向する箇所にそれぞれ設け、遮光板８２が光路Ｍ内の鉛直方向の上側および下側でそれぞれ直線部８２Ｂが水平方向に延在した姿勢で位置するように付勢する重り８４を遮光部材７４（移動板７８）に取着したものである。
このような構成によれば、撮像装置１０の縦位置、横位置に拘わらず、２つの遮光板８２が光路Ｍ内の鉛直方向の上側および下側に位置するため、斜め上方から鏡筒１７の内部の下側に入る光束を上下２つの遮光板８２によってそれぞれ遮光することができ、ゴーストやフレアを効果的に防止する上でより一層有利となる。
【００２０】
（第３の実施の形態）
次に第３の実施の形態について説明する。
第３の実施の形態は、遮光板８８および案内機構９０の構成が第１の実施の形態と異なっている。
図１３（Ａ）は第３の実施の形態の遮光部８６の正面図、（Ｂ）は遮光部８６の断面図、図１４は遮光部８６の要部を示す断面図である。
案内機構９０は、互いに対向する透明板９２の間に仕切られ光路Ｍの光軸と直交する面上を延在する扁平な円柱状の密閉空間９４で構成され、したがって、本実施の形態では、密閉空間９４は光路Ｍの全域にわたって延在している。
それら透明板９２は、例えば、第２筒部５０の周壁５０Ｂの後端面（図６参照）に、密閉空間９４の軸心を光路Ｍの光軸Ｌに合致させて取着される。
遮光板８８は、密閉空間９４の体積よりも小さい体積で密閉空間９４に収容され遮光性を有する液体８８Ａで構成されている。このような遮光性を有する液体８８Ａとして、例えば、粉末のカーボンを溶かしたアルコールなどを用いることができる。
【００２１】
次に遮光部８６の作用効果について説明する。
撮像装置１０を横位置から縦位置に、あるいは、その逆に、撮像装置１０を横位置から縦位置に、光軸Ｌ回りに回転させても、遮光部８６は、液体８８Ａに作用する重力の作用により液体８８Ａが光路Ｍ内の鉛直方向の下側に位置しその液面が水平方向に延在した姿勢を常に保持し、液体８８Ａにより光路Ｍ内の鉛直方向の下側に位置する遮光板８８が構成される。
したがって、撮像装置１０の縦位置、横位置に拘わらず、遮光板８８が光路Ｍ内の鉛直方向の下側に位置するため、斜め上方から鏡筒１７の内部の下側に入る光束を遮光板８２によって遮光することができ、ゴーストやフレアを効果的に防止する上で有利となる。
【００２２】
なお、本実施の形態では、撮像装置としてデジタルスチルカメラを用いて説明したが、本発明は、ビデオカメラ、カメラ付き携帯電話機などのさまざまな撮像装置に適用可能である。
【図面の簡単な説明】
【００２３】
【図１】第１の実施の形態の撮像装置の斜視図である。
【図２】第１の本実施の形態の撮像装置の構成を示すブロック図である。
【図３】第１のレンズ鏡筒１６の概略構成を示す説明図である。
【図４】遮光部５２の分解斜視図である。
【図５】遮光部５２の組み立て図である。
【図６】遮光部５２の断面図である。
【図７】遮光部５２の要部の拡大断面図である。
【図８】（Ａ）は撮像装置１０の横位置における遮光部５２の正面図、（Ｂ）は撮像装置１０を光軸Ｌ回りに回転させる過程における遮光部５２の正面図、（Ｃ）は撮像装置１０の縦位置における遮光部５２の正面図である。
【図９】（Ａ）、（Ｂ）、（Ｃ）は遮光部材６４の変形例を示す斜視図である。
【図１０】第２の実施の形態における遮光部材７４の斜視図である。
【図１１】（Ａ）、（Ｂ）は第２の実施の形態における遮光部７２の要部を示す断面図である。
【図１２】（Ａ）、（Ｂ）は遮光部材７４の変形例を示す斜視図である。
【図１３】（Ａ）は第３の実施の形態の遮光部８６の正面図、（Ｂ）は遮光部８６の断面図である。
【図１４】遮光部８６の要部を示す断面図である。
【図１５】従来のレンズ鏡筒の遮光部材を示す説明図である。
【符号の説明】
【００２４】
１０……撮像装置、１４……撮影光学系、１６……レンズ鏡筒、１７……鏡筒、１８……撮像素子、５２、７２、８６……遮光部、５４、８２、８８……遮光板、５６、７６、９０……案内機構、Ｍ……光路、Ｌ……光軸。
【図１】
2009116085.tif 000003
【図２】
2009116085.tif 000004
【図３】
2009116085.tif 000005
【図４】
2009116085.tif 000006
【図５】
2009116085.tif 000007
【図６】
2009116085.tif 000008
【図７】
2009116085.tif 000009
【図８】
2009116085.tif 000010
【図９】
2009116085.tif 000011
【図１０】
2009116085.tif 000012
【図１１】
2009116085.tif 000013
【図１２】
2009116085.tif 000014
【図１３】
2009116085.tif 000015
【図１４】
2009116085.tif 000016
【図１５】
2009116085.tif 000017